(57)【要約】【課題】室内熱交換器を洗浄するとき、ケーシングに結露が生じるのを抑制できる空気調和機を提案する。【解決手段】空気調和機は、冷媒回路(ＲＣ)と、ケーシングと室内ファン(１２)とを有する室内機(１)と、ケーシング内に加湿空気を供給する加湿空気供給装置(３)と、冷媒回路(ＲＣ)と加湿空気供給装置(３)とを制御して、加湿空気供給装置(３)からケーシング内に加湿空気を供給すると共に室内熱交換器(１１)を蒸発器として機能させて室内熱交換器(１１)を洗浄する洗浄運転を行う制御装置とを備える。制御装置は、洗浄運転の開始に関する情報を受けた時点から所定時間経過するまでの第一期間において、冷媒回路(ＲＣ)を制御して室内熱交換器(１１)への冷媒流量を洗浄運転時よりも規制し、または、室内熱交換器(１１)の蒸発温度(Ｔｅ)を洗浄運転時よりも高く設定し、第一期間後に、冷媒回路(ＲＣ)と加湿空気供給装置(３)とを制御して洗浄運転を行う。【選択図】図２
2020079684.tif 000002
【特許請求の範囲】
【請求項１】
圧縮機(２１)、室外熱交換器(２３)、膨張機構(２４)および室内熱交換器(１１)が環状に接続された冷媒回路(ＲＣ)と、
上記室内熱交換器(１１)が風通路(Ｐｗ)内に配置されたケーシング(１０)と、上記ケーシング(１０)の上記風通路(Ｐｗ)内に配置された室内ファン(１２)とを有する室内機(１)と、
上記ケーシング(１０)内に加湿空気を供給する加湿空気供給装置(３)と、
上記冷媒回路(ＲＣ)と上記加湿空気供給装置(３)とを制御して、上記加湿空気供給装置(３)から上記ケーシング(１０)内に加湿空気を供給すると共に上記室内熱交換器(１１)を蒸発器として機能させることによって上記室内熱交換器(１１)を洗浄する洗浄運転を行う制御装置(１００)と
を備え、
上記制御装置(１００)は、
上記洗浄運転の開始に関する情報を受けた時点から所定時間経過するまでの第一期間において、上記冷媒回路(ＲＣ)を制御して上記室内熱交換器(１１)への冷媒流量を上記洗浄運転時よりも規制し、または、上記室内熱交換器(１１)の蒸発温度(Ｔｅ)を上記洗浄運転時よりも高く設定し、
上記第一期間後に、上記冷媒回路(ＲＣ)と上記加湿空気供給装置(３)とを制御して上記洗浄運転を行うことを特徴とする空気調和機。
【請求項２】
請求項１に記載の空気調和機において、
上記ケーシング(１０)の吹出口(１ａ)に、上下方向に傾動可能に取り付けられたフラップ(３１)を備え、
上記制御装置(１００)は、上記フラップ(３１)の上下方向の傾動を制御して、上記第一期間中、上記フラップ(３１)を水平よりも上向きにすることを特徴とする空気調和機。
【請求項３】
請求項２に記載の空気調和機において、
上記制御装置(１００)は、上記室内ファン(１２)を制御して、上記第一期間中、上記室内ファン(１２)を所定回転数で駆動することを特徴とする空気調和機。
【請求項４】
請求項１から３までのいずれか一項に記載の空気調和機において、
上記制御装置(１００)は、上記洗浄運転中、上記蒸発器として機能する上記室内熱交換器(１１)の温度が０℃よりも高くかつ露点温度以下になるように、上記室内熱交換器(１１)に流れる冷媒量および上記室内ファン(１２)の回転数を制御することを特徴とする空気調和機。
【請求項５】
請求項１から４までのいずれか一項に記載の空気調和機において、
上記加湿空気供給装置(３)により上記室内機(１)に加湿空気を供給する加湿運転後、または、上記加湿空気供給装置(３)により上記室内機(１)に加湿空気を供給すると共に上記室内熱交換器(１１)を凝縮器として機能させる加湿暖房運転後、上記第一期間なしに上記洗浄運転を行うことを特徴とする空気調和機。
【発明の詳細な説明】
【技術分野】
【０００１】
本開示は、空気調和機に関する。
【背景技術】
【０００２】
従来、空気調和機としては、室内熱交換器の表面を結露させ、結露した水滴で室内熱交換器の表面を洗浄する洗浄運転を行うものがある(例えば、特許第６２９６６３３号公報(特許文献１)参照)。上記空気調和機では、洗浄運転において室内熱交換器を蒸発器として機能させて、室内熱交換器の冷媒の蒸発温度を露点温度以下になるように設定している。
【先行技術文献】
【特許文献】
【０００３】
【特許文献１】特許第６２９６６３３号公報
【発明の概要】
【発明が解決しようとする課題】
【０００４】
上記空気調和機では、室内熱交換器に結露する水滴が室内空気に含まれる水蒸気から生じるため、室内熱交換器の表面を洗浄する水滴量が室内空気に含まれる水分量に左右され、室内熱交換器の洗浄に十分な水量が得られないという課題があった。
【０００５】
そこで、このような課題を解決するため、室内機内に加湿空気を供給する加湿空気供給装置を備えることにより、室内熱交換器の洗浄に十分な水量が得られるようにした空気調和機が提案されている。
【０００６】
しかしながら、上記加湿空気供給装置を備えた空気調和機では、暖房運転や冷房運転の終了後に洗浄運転を開始すると、加湿空気供給装置から加湿空気を供給するまでに室内熱交換器を蒸発器として機能させると、ケーシングが冷えすぎてケーシング自体が結露するという問題がある。
【０００７】
本開示では、室内熱交換器を洗浄するとき、ケーシングに結露が生じるのを抑制できる空気調和機を提案する。
【課題を解決するための手段】
【０００８】
本開示の空気調和機は、
圧縮機、室外熱交換器、膨張機構および室内熱交換器が環状に接続された冷媒回路と、
上記室内熱交換器が風通路内に配置されたケーシングと、上記ケーシングの上記風通路内に配置された室内ファンとを有する室内機と、
上記ケーシング内に加湿空気を供給する加湿空気供給装置と、
上記冷媒回路と上記加湿空気供給装置とを制御して、上記加湿空気供給装置から上記ケーシング内に加湿空気を供給すると共に上記室内熱交換器を蒸発器として機能させることによって上記室内熱交換器を洗浄する洗浄運転を行う制御装置と
を備え、
上記制御装置は、
上記洗浄運転の開始に関する情報を受けた時点から所定時間経過するまでの第一期間において、上記冷媒回路を制御して上記室内熱交換器への冷媒流量を上記洗浄運転時よりも規制し、または、上記室内熱交換器の蒸発温度を上記洗浄運転時よりも高く設定し、
上記第一期間後に、上記冷媒回路と上記加湿空気供給装置とを制御して上記洗浄運転を行うことを特徴とする。
【０００９】
本開示によれば、制御装置により冷媒回路を制御して、洗浄運転の開始に関する情報を受けた時点(暖房運転や冷房運転の終了など)から所定時間が経過するまでの第一期間において、室内熱交換器への冷媒流量を洗浄運転時よりも規制する、または室内熱交換器の蒸発温度を洗浄運転時よりも高く設定することによって、洗浄運転を開始する前の第一期間において、加湿空気供給装置から加湿空気を供給するまで室内熱交換器を蒸発器として機能させないもしくは蒸発器の能力を抑制するようにでき、ケーシングが冷えすぎることがない。したがって、室内熱交換器を洗浄するとき、ケーシングに結露が生じるのを抑制できる。
【００１０】
また、本開示の１つの態様に係る空気調和機では、
上記ケーシングの吹出口に、上下方向に傾動可能に取り付けられたフラップを備え、
上記制御装置は、上記フラップの上下方向の傾動を制御して、上記第一期間中、上記フラップを水平よりも上向きにする。
【００１１】
本開示によれば、制御装置によりフラップの上下方向の傾動を制御して、第一期間中、フラップを水平よりも上向きにすることによって、室内の天井側に吹出空気を向けるので、室内のユーザーに吹出空気が直接当たらないようにできる。
【００１２】
また、本開示の１つの態様に係る空気調和機では、
上記制御装置は、上記室内ファンを制御して、上記第一期間中、上記室内ファンを所定回転数で駆動する。
【００１３】
本開示によれば、制御装置により室内ファンを制御して、第一期間中、室内ファンを所定回転数で駆動することにより、事前に運転を開始した加湿空気供給装置から伝わる加湿ファンなどの音をマスキングすることができる。
【００１４】
また、本開示の１つの態様に係る空気調和機では、
上記制御装置は、上記洗浄運転中、上記蒸発器として機能する上記室内熱交換器の温度が０℃よりも高くかつ露点温度以下になるように、上記室内熱交換器に流れる冷媒量および上記室内ファンの回転数を制御する。
【００１５】
本開示によれば、洗浄運転中、制御装置により室内熱交換器に流れる冷媒量および室内ファンの回転数を制御して、蒸発器として機能する室内熱交換器の温度を０℃よりも高くかつ露点温度以下にすることにより、加湿空気供給装置からの加湿空気に含まれる水蒸気が室内熱交換器で氷結せずに水滴となる。
【００１６】
また、本開示の１つの態様に係る空気調和機では、
上記加湿空気供給装置により上記室内機に加湿空気を供給する加湿運転後、または、上記加湿空気供給装置により上記室内機に加湿空気を供給すると共に上記室内熱交換器を凝縮器として機能させる加湿暖房運転後、上記第一期間なしに上記洗浄運転を行う。
【００１７】
本開示によれば、加湿空気供給装置により室内機に加湿空気を供給する加湿運転の終了後の洗浄運転では、加湿空気供給装置からすぐに加湿空気が供給可能であるので、第一期間なしに洗浄運転をすぐに開始でき、時間を短縮できる。同様に、加湿空気供給装置により室内機に加湿空気を供給すると共に室内熱交換器を凝縮器として機能させる加湿暖房運転の終了後の洗浄運転では、加湿空気供給装置からすぐに加湿空気が供給可能であるので、第一期間なしに洗浄運転をすぐに開始でき、時間を短縮できる。
【図面の簡単な説明】
【００１８】
【図１】本開示の第１実施形態の空気調和機の外観図である。
【図２】上記空気調和機の回路図である。
【図３】図１のIII−III線から見た室内機の断面模式図である。
【図４】上記空気調和機の制御ブロック図である。
【図５】上記空気調和機の洗浄運転の動作を説明するためのタイミングチャートである。
【発明を実施するための形態】
【００１９】
以下、実施形態を説明する。なお、図面において、同一の参照番号は、同一部分または相当部分を表わすものである。また、長さ、幅、厚さ、深さ等の図面上の寸法は、図面の明瞭化と簡略化のために実際の尺度から適宜変更されており、実際の相対寸法を表してはいない。
【００２０】
〔第１実施形態〕
図１は、本開示の第１実施形態の空気調和機の外観図である。
【００２１】
この第１実施形態の空気調和機は、図１に示すように、室内機１と、室内機１に冷媒配管Ｌ４,Ｌ５を介して接続された室外機２とを備えたペア型の空気調和機である。また、この空気調和機では、加湿ホース４を介して室内機１と接続された加湿装置３が室外機２上に設けられている。加湿装置３は、加湿空気供給装置の一例である。
【００２２】
また、図２は、上記空気調和機が備える冷媒回路ＲＣの回路図である。
【００２３】
＜室内機１の構成＞
上記空気調和機の室内機１は、例えば、室内の壁面に取り付けられる壁掛け式の室内ユニットである。この室内機１は、ケーシング１０(図３に示す)と、室内熱交換器１１と、この室内熱交換器１１に空気を送る室内ファン１２とを有する。
【００２４】
室内熱交換器１１は、室内ファン１２による空気流に関して、室内ファン１２よりも上流側に位置している。この室内熱交換器１１は、室内ファン１２からの空気と冷媒との熱交換を行うために、本体熱交換部１１ａと、補助熱交換部１１ｂと、電磁弁１３とを有する。
【００２５】
以下、冷房サイクルの冷媒流の方向で本体熱交換部１１ａと補助熱交換部１１ｂとの詳細を説明する。
【００２６】
本体熱交換部１１ａは、室内側に位置する正面部１１ａ−１と、室内側とは反対側に位置する背面部１１ａ−２とから成っている。また、正面部１１ａ−１は、冷媒配管Ｌ１２，Ｌ１３および電磁弁１３を介して背面部１１ａ−２に流体的に接続されている。これにより、室外機２側の電動膨張弁２４から本体熱交換部１１ａへ流れる冷媒は、正面部１１ａ−１を流れた後、背面部１１ａ−２に流入することが可能となっている。
【００２７】
補助熱交換部１１ｂは、本体熱交換部１１ａの正面部１１ａ−１に対して本体熱交換部１１ａの背面部１１ａ−２側と反対の側に設けられている。すなわち、補助熱交換部１１ｂは、本体熱交換部１１ａの正面部１１ａ−１よりも、室内側に位置する。この補助熱交換部１１ｂは、本体熱交換部１１ａよりも、容積が小さい。また、補助熱交換部１１ｂの一端に冷媒配管Ｌ４が接続され、補助熱交換部１１ｂの他端に、冷媒配管Ｌ１１を介して本体熱交換部１１ａの正面部１１ａ−１を接続している。これにより、室外機２側の電動膨張弁２４側からの冷媒は、補助熱交換部１１ｂを介して、本体熱交換部１１ａに供給される。
【００２８】
室内ファン１２としては、例えば、クロスフローファンが採用される。このクロスフローファンは、室内熱交換器１１で温度などが調整された空気を室内に向けて吹き出す。
【００２９】
電磁弁１３は、室内熱交換器１１の冷媒パスの中間部に設けられている。より詳しく説明すると、本体熱交換部１１ａの正面部１１ａ−１側と本体熱交換部１１ａの背面部１１ａ−２側との間に差圧を設定するための弁である。電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００３０】
＜室外機２の構成＞
上記空気調和機の室外機２は、圧縮機２１と、四路切換弁２２と、室外熱交換器２３と、膨張機構の一例としての電動膨張弁２４と、アキュムレータ２５と、室外熱交換器２３に空気を送る室外ファン２０とを有する。
【００３１】
室外熱交換器２３は、室外ファン２０による空気流に関して、室外ファン２０よりも下流側に位置している。室外熱交換器２３内を流れる冷媒は、室外ファン２０からの空気と熱交換する。
【００３２】
膨張弁２４は、互いに異なる３以上の開度に調整可能な例えば電動弁であって、制御装置１００(図４に示す)からの信号に応じて開度が変化する。
【００３３】
＜加湿装置３＞
加湿装置３は、図２に示すように、吸着領域および脱着領域が設けられた円板状の加湿ロータ４１と、加湿ロータ用駆動モータ４２、ヒータ４３と、ダンパ４４と、加湿ファン４５と、加湿ホース４が接続されている室外機側加湿ダクト４６とを有している。
【００３４】
加湿ロータ４１は、シリカゲル、ゼオライト、アルミナなどの吸着材がハニカム状あるいは多孔多粒状に形成されている。この加湿ロータ４１は、加湿ロータ用駆動モータ４２によって回転可能に設けられている。
【００３５】
また、加湿装置３の内部には、加湿空気を供給するための第１,第２の空気経路Ｐ１,Ｐ２が設けられている。
【００３６】
第１の空気経路Ｐ１は、室外ファン２０によって加湿装置３の内部に吸い込まれた空気が、加湿ロータ４１の吸着領域を通り、外部に排気されるように配置されている。この第１の空気経路Ｐ１では、吸い込まれた空気は、加湿ロータ４１の吸着領域を通るときに水分を吸着され、乾燥した状態で外部に排気される。
【００３７】
第２の空気経路Ｐ２は、加湿ファン４５によって加湿装置３の内部に吸い込まれた空気が、ヒータ４３で加熱された後、加湿ロータ４１の脱着領域を通り、室外機側加湿ダクト４６を介して室内機１に供給されるように配置されている。この第２の空気経路Ｐ２では、加湿装置３の内部に吸い込まれた空気は、加湿ロータ４１の脱着領域を通るときに、吸着領域で吸湿された水分により湿度が高められ、加湿された状態で室内機１に供給される。
【００３８】
＜冷媒回路ＲＣの構成＞
また、上記空気調和機の冷媒回路ＲＣは、室内熱交換器１１、圧縮機２１、四路切換弁２２、室外熱交換器２３、電動膨張弁２４、アキュムレータ２５および冷媒配管Ｌ１〜Ｌ７から成っている。より詳しく説明すると、室内熱交換器１１、圧縮機２１、四路切換弁２２、室外熱交換器２３、電動膨張弁２４およびアキュムレータ２５が、冷媒配管Ｌ１〜Ｌ７によって流体的に接続される。これにより、環状の冷媒回路ＲＣが構成されている。このような冷媒回路ＲＣにおいて、圧縮機２１を駆動時することにより冷媒が循環する。
【００３９】
また、図示しないが、上記空気調和機は、リモートコントローラ(以下、「リモコン」と言う)を備える。ユーザーは、リモコンを操作して、自動運転、冷房運転、暖房運転、除湿運転などを開始させたり、停止させたりすることができる。
【００４０】
また、図３は、図１のIII−III線から見た室内機１の断面模式図である。
【００４１】
室内機１は、図３に示すように、ケーシング１０の風通路Ｐｗ内に室内熱交換器１１が配置されている。また、ケーシング１０の風通路Ｐｗ内かつ室内熱交換器１１の下流側に室内ファン１２が配置されている。また、ケーシング１０の風通路Ｐｗの吹出口１ａに、上下方向に傾動可能な水平フラップ３１を設けている。水平フラップ３１は、フラップの一例である。また、ケーシング１０の風通路Ｐｗは、図３に示す太い実線の矢印で示されている空気流の通路である。
【００４２】
また、加湿ホース４(図２に示す)が接続された室内機側加湿ダクト５１および拡散ダクト５２が、ケーシング１０の風通路Ｐｗ内かつ室内熱交換器１１の上流側に配置されている。拡散ダクト５２は、室内機側加湿ダクト５１に接続されており、ケーシング１０内の左右方向に延在している(図１参照)。拡散ダクト５２の後壁には、複数の加湿吹出口(図示せず)が左右方向に並んで形成されている。室内機側加湿ダクト５１から拡散ダクト５２内に流入した加湿空気が、複数の加湿吹出口から室内熱交換器１１側に向かって吹き出す。
【００４３】
図４は、空気調和機の制御ブロック図である。
【００４４】
また、室内機１には、図４に示すように、室内熱交換器１１の温度を検出する室内熱交換器温度センサＴ４と、室内機１が設置されている室内の温度を検出する室内温度センサＴ５と、室内機１が設置されている室内の湿度を検出する湿度センサＨとが設けられている。
【００４５】
また、室外機２には、図４に示すように、室外熱交換器２３の温度を検出する室外熱交換器温度センサＴ１と、外気温度を検出する外気温度センサＴ２と、電動膨張弁２４の蒸発温度を検出する蒸発温度センサＴ３とが設けられている。
【００４６】
また、空気調和機は、図４に示すように、室内機１および室外機２を制御する制御装置１００と、リモコン(図示せず)とを有している。
【００４７】
制御装置１００は、室内機１側の室内制御部(図示せず)と室外機２側の室外制御部(図示せず)とで構成され、それぞれ、演算等を行うＣＰＵ(Central Processing Unit：中央処理装置)、室内機１および室外機２の制御に必要なプログラムおよびデータ等を記憶しておくＲＯＭ(Read Only Memory：リード・オンリー・メモリー)およびＲＡＭ(Random Access Memory：ランダム・アクセス・メモリー)等が設けられている。この制御装置１００は、リモコン、あるいは、室内機１および室外機２の各センサ(室外熱交換器温度センサＴ１、外気温度センサＴ２、蒸発温度センサＴ３、室内熱交換器温度センサＴ４、室内温度センサＴ５、および、湿度センサＨ)からの信号などに基づいて、圧縮機２１、四路切換弁２２、電動膨張弁２４、室外ファン２０、室内ファン１２、電磁弁１３、表示部３０、水平フラップ用駆動モータ３２、加湿ロータ用駆動モータ４２、ヒータ４３、ダンパ４４、および加湿ファン４５を制御する。
【００４８】
リモコンは、制御装置１００による室内機１および室外機２の制御内容を変更できる。例えば、リモコンを操作することで、暖房運転、冷房運転および除湿運転の各運転モードの選択、運転開始、運転切り替え、あるいは、運転停止を行ったり、室内温度あるいは風量を設定あるいは変更したり、洗浄運転の運転開始や運転停止を行うことができる。
【００４９】
図５は、洗浄運転の動作を説明するためのタイミングチャートである。この洗浄運転では、洗浄運転の開始に関する情報としては、例えば暖房運転の終了とする。なお、洗浄運転の開始に関する情報を制御装置１００が受けるのは、リモコンにより洗浄運転開始の操作が行われたり、ユーザーのリモコン操作により暖房運転や冷房運転などの空調運転の終了後に洗浄運転を実行することが設定されて、空調運転の終了したときである。
【００５０】
図５では、暖房運転や冷房運転などの空調運転の終了後に洗浄運転を実行することがリモコンの操作により設定されているものとする。
【００５１】
まず、暖房運転が停止すると、所定時間Ｔ(この実施形態では２０分間)経過するまでの準備期間(第一期間)において、圧縮機２１を運転せずに停止し、冷媒回路ＲＣに冷媒が流れないようにして、室内熱交換器１１への冷媒流量を規制する。
【００５２】
また、上記準備期間の開始時点で加湿装置３の運転を開始する。詳しくは、制御装置１００により加湿ロータ用駆動モータ４２とヒータ４３および加湿ファン４５を制御して、加湿装置３の加湿ロータ４１を回転させると共にヒータ４３と加湿ファン４５をオンして、加湿空気を加湿ホース４を介して室内機１に供給するように準備する。
【００５３】
また、上記準備期間および洗浄運転中、室内ファン１２を所定回転数で駆動する。室内ファン１２の所定回転数は、加湿装置３から伝わる加湿ファンの音をマスキングすることが可能な回転数とする。
【００５４】
また、上記準備期間および洗浄運転中、水平フラップ３１を所定の開度に開いて水平フラップ３１の吹出空気の風向を水平よりも上向きにする。
【００５５】
そして、準備期間が終了して洗浄運転が開始されると、圧縮機２１の運転を開始し、冷房サイクルで室内熱交換器１１を蒸発器として機能させる。室内熱交換器１１の温度が０℃よりも高く露点温度以下になると、室内熱交換器１１に水滴が付き始める。
【００５６】
上記構成の空気調和機において、制御装置１００により冷媒回路ＲＣを制御して、洗浄運転の開始に関する情報を受けた時点から所定時間Ｔ(この実施形態では２０分間)経過するまでの準備期間(第一期間)において、室内熱交換器１１への冷媒流量を規制する。この準備期間では、制御装置１００により加湿ロータ用駆動モータ４２とヒータ４３および加湿ファン４５を制御して、加湿装置３の加湿ロータ４１を回転させると共にヒータ４３と加湿ファン４５をオンして、加湿空気を加湿ホース４を介して室内機１に供給するように準備する。
なお、準備期間中に加湿装置３の加湿ロータ４１を回転させて、加湿ロータ４１の吸着領域で水分を吸着させる吸着運転だけを行って、実際に加湿装置３から加湿空気を室内機１に導入するのは洗浄運転が開始された後でもよい。
【００５７】
これによって、暖房運転や冷房運転の終了後に洗浄運転を開始したとき、加湿装置３(加湿空気供給装置)から加湿空気が実質的に供給されるまで室内熱交換器１１を蒸発器として機能させないようにでき、ケーシング１０が冷えすぎることがない。したがって、室内熱交換器１１を洗浄するとき、ケーシング１０に結露が生じるのを抑制できる。
【００５８】
また、上記制御装置１００により水平フラップ３１(フラップ)の上下方向の傾動を制御して、準備期間中、水平フラップ３１を水平よりも上向きにすることによって、室内の天井側に吹出空気を向けるので、室内のユーザーに吹出空気が直接当たらないようにできる。
【００５９】
また、上記制御装置１００により室内ファン１２を制御して、準備期間中、室内ファン１２を所定回転数で駆動することにより、事前に運転を開始した加湿装置３から加湿ホース４と室内機１を介して室内に伝わる加湿ファンの音などをマスキングすることができる。
【００６０】
また、洗浄運転中、制御装置１００により室内熱交換器１１に流れる冷媒量および室内ファン１２の回転数を制御して、蒸発器として機能する室内熱交換器１１の温度を０℃よりも高くかつ露点温度以下にすることにより、室内熱交換器１１が氷結しないようにしつつ、加湿装置３からの加湿空気に含まれる水蒸気が室内熱交換器１１で水滴となって結露が生じるようにできる。
【００６１】
〔第２実施形態〕
本開示の第２実施形態の空気調和機は、制御装置１００の動作を除いて第１実施形態の空気調和機と同一の構成をしており、図１〜図４を援用する。
【００６２】
この第２実施形態の空気調和機では、制御装置１００は、加湿装置３(加湿空気供給装置)により室内機１に加湿空気を供給する加湿運転後、または、加湿装置３により室内機１に加湿空気を供給すると共に室内熱交換器１１を凝縮器として機能させる加湿暖房運転後は、準備期間なしに洗浄運転を実行する。
【００６３】
上記構成の空気調和機によれば、加湿装置３により室内機１に加湿空気を供給する加湿運転の終了後の洗浄運転では、加湿装置３からすぐに加湿空気が供給可能であるので、準備期間なしに洗浄運転をすぐに開始でき、時間を短縮できる。
【００６４】
同様に、加湿装置３により室内機１に加湿空気を供給すると共に室内熱交換器１１を凝縮器として機能させる加湿暖房運転の終了後の洗浄運転では、加湿装置３からすぐに加湿空気が供給可能であるので、準備期間なしに洗浄運転をすぐに開始でき、時間を短縮できる。
【００６５】
上記第２実施形態の空気調和機は、第１実施形態の空気調和機と同様の効果を有する。
【００６６】
〔第３実施形態〕
本開示の第３実施形態の空気調和機は、制御装置１００の動作を除いて第１実施形態の空気調和機と同一の構成をしており、図１〜図４を援用する。
【００６７】
第１実施形態の空気調和機では、暖房運転や冷房運転などの空調運転が停止すると、準備期間(第一期間)において、圧縮機２１を運転せずに停止し、冷媒回路ＲＣに冷媒が流れないようにしたのに対して、第３実施形態の空気調和機では、準備期間(第一期間)において、圧縮機２１を運転して、冷房サイクルで室内熱交換器１１を蒸発器として機能させる。このとき、次の洗浄運転時に比べて少量の冷媒を室内熱交換器１１に流す程度にして、室内熱交換器１１への冷媒流量を規制することによって、室内熱交換器温度センサＴ４により検出された室内熱交換器１１の蒸発温度Ｔｅを洗浄運転時よりも高く設定する。
【００６８】
洗浄運転を開始する前の準備期間(第一期間)において、加湿装置３(加湿空気供給装置)から加湿空気を供給するまで室内熱交換器１１の蒸発器としての能力を抑制するようにでき、ケーシング１０が冷えすぎることがない。したがって、室内熱交換器１１を洗浄するとき、ケーシング１０に結露が生じるのを抑制できる。
【００６９】
上記第３実施形態の空気調和機は、第１実施形態の空気調和機と同様の効果を有する。
【００７０】
上記第１〜第３実施形態では、加湿空気供給装置である加湿装置３を備えた空気調和機について説明したが、加湿空気供給装置はこれに限らず、室内機に備えられ、水タンクなどから加湿用の水が供給される加湿空気供給装置でもよい。
【００７１】
本開示の具体的な実施の形態について説明したが、本開示は上記〜第３実施形態に限定されるものではなく、本開示の範囲内で種々変更して実施することができる。
【符号の説明】
【００７２】
１…室内機
２…室外機
３…加湿装置
４…加湿ホース
１０…ケーシング
１１…室内熱交換器
１１ａ…本体熱交換部
１１ａ−１…正面部
１１ａ−２…背面部
１１ｂ…補助熱交換部
１２…室内ファン
１３…電磁弁
２０…室外ファン
２１…圧縮機
２２…四路切換弁
２３…室外熱交換器
２４…電動膨張弁(膨張機構)
２５…アキュムレータ
３１…水平フラップ
３２…水平フラップ用駆動モータ
４１…加湿ロータ
４２…加湿ロータ用駆動モータ
４３…ヒータ
４４…ダンパ
４５…加湿ファン
４６…室外機側加湿ダクト
ＲＣ…冷媒回路
【図１】
2020079684.tif 000003
【図２】
2020079684.tif 000004
【図３】
2020079684.tif 000005
【図４】
2020079684.tif 000006
【図５】
2020079684.tif 000007
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
圧縮機(２１)、室外熱交換器(２３)、膨張機構(２４)および室内熱交換器(１１)が環状に接続された冷媒回路(ＲＣ)と、
上記室内熱交換器(１１)が風通路(Ｐｗ)内に配置されたケーシング(１０)と、上記ケーシング(１０)の上記風通路(Ｐｗ)内に配置された室内ファン(１２)とを有する室内機(１)と、
上記ケーシング(１０)内に加湿空気を供給する加湿空気供給装置(３)と、
上記冷媒回路(ＲＣ)と上記加湿空気供給装置(３)とを制御して、上記加湿空気供給装置(３)から上記ケーシング(１０)内に加湿空気を供給すると共に上記室内熱交換器(１１)を蒸発器として機能させることによって上記室内熱交換器(１１)を洗浄する洗浄運転を行う制御装置(１００)と
を備え、
上記制御装置(１００)は、
上記洗浄運転の開始に関する情報を受けた時点から所定時間経過するまでの第一期間において、上記加湿空気供給装置(３)を運転させると共に、上記冷媒回路(ＲＣ)を制御して上記室内熱交換器(１１)への冷媒流量を上記洗浄運転時よりも規制し、または、上記室内熱交換器(１１)の蒸発温度(Ｔｅ)を上記洗浄運転時よりも高く設定し、
上記第一期間後に、上記冷媒回路(ＲＣ)と上記加湿空気供給装置(３)とを制御して上記洗浄運転を行うことを特徴とする空気調和機。
【請求項２】
請求項１に記載の空気調和機において、
上記ケーシング(１０)の吹出口(１ａ)に、上下方向に傾動可能に取り付けられたフラップ(３１)を備え、
上記制御装置(１００)は、上記フラップ(３１)の上下方向の傾動を制御して、上記第一期間中、上記フラップ(３１)を水平よりも上向きにすることを特徴とする空気調和機。
【請求項３】
請求項２に記載の空気調和機において、
上記制御装置(１００)は、上記室内ファン(１２)を制御して、上記第一期間中、上記室内ファン(１２)を所定回転数で駆動することを特徴とする空気調和機。
【請求項４】
請求項１から３までのいずれか一項に記載の空気調和機において、
上記制御装置(１００)は、上記洗浄運転中、上記蒸発器として機能する上記室内熱交換器(１１)の温度が０℃よりも高くかつ露点温度以下になるように、上記室内熱交換器(１１)に流れる冷媒量および上記室内ファン(１２)の回転数を制御することを特徴とする空気調和機。
【請求項５】
請求項１から４までのいずれか一項に記載の空気調和機において、
上記加湿空気供給装置(３)により上記室内機(１)に加湿空気を供給する加湿運転後、または、上記加湿空気供給装置(３)により上記室内機(１)に加湿空気を供給すると共に上記室内熱交換器(１１)を凝縮器として機能させる加湿暖房運転後、上記第一期間なしに上記洗浄運転を行うことを特徴とする空気調和機。
【手続補正２】
【補正対象書類名】明細書
【補正対象項目名】０００８
【補正方法】変更
【補正の内容】
【０００８】
本開示の空気調和機は、
圧縮機、室外熱交換器、膨張機構および室内熱交換器が環状に接続された冷媒回路と、
上記室内熱交換器が風通路内に配置されたケーシングと、上記ケーシングの上記風通路内に配置された室内ファンとを有する室内機と、
上記ケーシング内に加湿空気を供給する加湿空気供給装置と、
上記冷媒回路と上記加湿空気供給装置とを制御して、上記加湿空気供給装置から上記ケーシング内に加湿空気を供給すると共に上記室内熱交換器を蒸発器として機能させることによって上記室内熱交換器を洗浄する洗浄運転を行う制御装置と
を備え、
上記制御装置は、
上記洗浄運転の開始に関する情報を受けた時点から所定時間経過するまでの第一期間において、上記加湿空気供給装置を運転させると共に、上記冷媒回路を制御して上記室内熱交換器への冷媒流量を上記洗浄運転時よりも規制し、または、上記室内熱交換器の蒸発温度を上記洗浄運転時よりも高く設定し、
上記第一期間後に、上記冷媒回路と上記加湿空気供給装置とを制御して上記洗浄運転を行うことを特徴とする。